(57)【要約】【課題】キャップ無しの形態で、口具に高い密封性を確保し、内容物の漏れがなく、取り扱いの容易な液体容器を得る。【解決手段】液体容器１の口具装置２を充填孔４を有した充填口具５と、事前に閉じられた挿入孔６を有して充填孔４を覆ってその充填孔４を介した液体流路を閉じる排出口具７とから設け、充填口具５と排出口具７とのそれぞれは、互いに係止して充填口具５に取り付けた排出口具７の取り外しを不能にするロック手段１７、２６を有し、排出口具７が、ロック手段１７、２６相互の係合により充填口具５に取り外し不能に取り付けられて、充填孔４を介した液体流路を閉じる構成とした。【選択図】    図２
2006240701.tif 000002
【特許請求の範囲】
【請求項１】
容器本体とこの容器本体に配置された口具装置とからなる液体容器であって、
前記口具装置は、容器本体に取り付けられて容器本体に液体を充填する充填手段が挿入可能な充填孔を有した熱融着可能な素材から成形された充填口具と、前記充填孔を覆って充填口具に取付可能に設けられ、容器本体に充填された液体を吸引する吸引手段で突き刺し開口可能に閉じられた挿入孔を前記充填孔の対応位置に有して、前記充填孔を介した液体流路を閉じる排出口具とからなり、
前記充填口具と前記排出口具とのそれぞれは、互いに係止して充填口具に取り付けた排出口具の取り外しを不能にするロック手段を有し、排出口具が、前記ロック手段相互の係合により充填口具に取り外し不能に取り付けられて、充填孔を介した液体流路を閉じることを特徴とする液体容器。
【請求項２】
上記排出口具の挿入孔は、少なくとも二軸延伸してなるフィルムを一層含むシートで閉じられている請求項１に記載の液体容器。
【請求項３】
上記充填口具は充填孔の周りに環状溝を介してねじ部を有する筒壁部を備え、前記排出口具は充填口具の前記ねじ部に螺合するねじ部を有して環状溝に対応する筒壁部を備え、充填口具のねじ部に排出口具のねじ部に螺合して上記ロック手段の係合状態時に環状溝の底面に排出口具の前記筒状部の下端が密着している請求項１または２に記載の液体容器。
【請求項４】
上記排出口具のねじ部を雄ねじとし充填口具のねじ部を雌ねじとして、排出口具の筒壁部が上記充填口具の筒壁部の内周面側に位置する請求項３に記載の液体用容器。
【請求項５】
上記排出口具の吸引手段挿入方向における挿入孔閉鎖位置が、排出口具の上記ねじ部における吸引手段挿入方向上方での端部高さ位置より、吸引手段挿入方向下方に設けられている請求項３または４に記載の液体容器。
【発明の詳細な説明】
【技術分野】
【０００１】
本発明は液体の充填に対応するとともに、ノズルを突き刺して液体を吸引するなどの吸引手段による吸引にも対応できるようにした液体容器に関するものである。
【背景技術】
【０００２】
従来から、吸引用のノズルを有した吸引機構により液体を取り込む装置に対応した液体容器にあっては、吸引機構との接続に際して、ノズルを突き刺しした時点で液体の流路が形成されるようにするため、液体容器の注出口をノズルの突き刺し開口ができるシート状部材で覆い、そしてノズルが通る開口を有したキャップを注出口に取り付けることでキャップと注出口とでシート状部材を挟み込み支持し、必要時にキャップの上方からノズルをシート状部材に突き刺すことができる構成が提案されている（特許文献１、２参照）。
また、インキ収納用の液体容器においても、インキ充填装置や印刷装置などとその液体容器との接続を簡単に行なうために充填手段や吸引手段の差し込みに対応できる構成の開発が試みられており、剛性液体容器の開口を容器本体内に移動可能に配した中栓で開閉できるようにした工夫が提案されている（特許文献３参照）。
【特許文献１】特開平１１−９１８０９号公報
【特許文献２】特開平１１−９１８１０号公報
【特許文献３】特開２００４−２３７７２２号公報
【発明の開示】
【発明が解決しようとする課題】
【０００３】
上述したインキ収納用途の液体容器においては、一般オフィス用複写機におけるインキ収納用の液体容器もあり、複写機のインキの吸引機構に対してインキ充填済みの新規の液体容器をユーザーが装填する手間を考慮して上記ノズルの突き刺しにて流路が形成できるようにしたものがある。
このインキを収納した液体容器は、図９に示すように容器本体ａに、吸引機構側のノズルｂが通ることのできる挿入孔ｃが開口されている口具ｄを取り付けたものである。そして、口具ｄにあっては、挿入孔ｃの径より大口径とした筒状部位ｅの奥面側の中央にその挿入孔ｃを位置させ、挿入孔ｃの周囲を環状部位ｆとした構造としていた。
このような液体容器では、予め挿入孔ｃからインキが容器本体ａ内に充填され、その後、筒状部位ｅに囲まれた空間にノズルによる突き刺し開口が可能な閉鎖体ｇを、筒状部位ｅの内側に形成されたアンダーカットｈを越える位置まで押し込んでいて、前記環状部位ｆに対する閉鎖体ｇを押し付けで挿入孔ｃを覆うようにしている。そして、前記閉鎖体ｇを押さえ付けることができるように筒状部位ｅに囲まれた空間に入る凹部ｉを備えたキャップｊを口具ｄに取り付けたものが製品として一般のユーザー向けに出荷されている。
この液体容器では、粘度の高いインキが吸引し易いように容器本体の側面における容器下端側に側方に口具が向いた口具レイアウトとしたり、容器本体の底面に口具が下方に向いた口具レイアウトとすることがある。
【０００４】
上記複写機では、ユーザーがキャップを外してから容器を複写機の充填部位に配し、装填部の操作を行なうようにしており、その操作によって口具の上記閉鎖体に対して複写機側の吸引機構にあるノズルが突き刺さり、インキを吸引できる流路が形成されるようにしている。
【０００５】
しかしながら、この液体容器にあっては以下に示す問題があった。
まず、容器内のインキの使用残存を極力少なくするべく、インキの吸引に伴って容器本体の内容量が小さくなるようにフレキシブルなフィルム材を使用しているため、新規なインキが充填された液体容器においてキャップを外した後の取り扱い時に容器本体を強く圧迫すると、キャップの凹部による閉鎖体の支持がなくなっていることも関連して内容物であるインキが挿入孔で閉鎖体を押して漏れ出る可能性があった。
つぎに閉鎖体を環状部位に押さえ付けているアンダーカットだけでの押さえ付け力では、流動性の高い液体の漏れを防止することができないという危惧がある。即ち、収納物のインキが分解気味になると低粘度の成分が分離することがあり、この低粘度で流動性の高い成分の漏れを確実に防止するには、アンダーカットによる閉鎖体の押し付け力が不足している。
【０００６】
また、不正な再充填の問題があった。製品の液体容器が上述したように閉鎖体をアンダーカットを越えるように押し込んで挿入孔を閉じたものであったため、使用済みの液体容器の口具から正規な閉鎖体（開口済み）を取り除き、不正充填した後に間に合わせのシートを押し入れて挿入孔を閉じることが行われる可能性が高く、このような液体容器では内容物のインキが不完全な挿入孔の閉鎖によって酸化したり、乾燥したりする。そして、このような不正再充填された液体容器を複写機にセットすることで、複写機側にトラブルが起こる可能性がある。
【０００７】
つぎに、この液体容器では上述したように挿入孔から内容物を充填し、閉鎖体を押し入れてからその閉鎖体の外周部と挿入孔周りにある上記環状部位とを熱シールする方法も考えられるが、内容物の充填の際、内容物が環状部位に付着することがあり、この状態で閉鎖体を配置して熱シールしてもシール強度が著しく低く、内容物の漏れを防止できないという問題があった。
なお、口具以外から容器本体に充填するには、単純なシールで確実に閉鎖できる構成のものでなければならず、そうすると、液体容器全体がかさばった形になったり、容器本体のフィルム材などを多く必要としたり、吸引できずに使用終了となった状態での液体容器に残るインキ残量が多くなるという問題が発生する。
そして、つぎの問題としては、複写機への液体容器の装填でユーザーが上記キャップを付けたままでの装填を行ない、ノズルを損傷してしまうということがある。即ち、凹部（閉鎖体を支持する部分）を有したキャップ形状であるため、その凹部をユーザーがノズル挿入部分と見間違えてキャップ付きのままで装填をしてしまうものであった。このため、キャップ付き装填のトラブルが生じないようにすることが望まれていた。
そこで本発明は上記事情に鑑み、キャップ無しの形態で、口具に高い密封性を確保することを課題とし、内容物の漏れがなく、取り扱いの容易な液体容器を得ることを目的とするものである。
【課題を解決するための手段】
【０００８】
本発明は上記課題を考慮してなされたもので、容器本体とこの容器本体に配置された口具装置とからなる液体容器であって、前記口具装置は、容器本体に取り付けられて容器本体に液体を充填する充填手段が挿入可能な充填孔を有した熱融着可能な素材から成形された充填口具と、前記充填孔を覆って充填口具に取付可能に設けられ、容器本体に充填された液体を吸引する吸引手段で突き刺し開口可能に閉じられた挿入孔を前記充填孔の対応位置に有して、前記充填孔を介した液体流路を閉じる排出口具とからなり、前記充填口具と前記排出口具とのそれぞれは、互いに係止して充填口具に取り付けた排出口具の取り外しを不能にするロック手段を有し、排出口具が、前記ロック手段相互の係合により充填口具に取り外し不能に取り付けられて、充填孔を介した液体流路を閉じることを特徴とする液体容器を提供して、上記課題を解消するものである。
【０００９】
本発明において、上記排出口具の挿入孔は、少なくとも二軸延伸してなるフィルムを一層含むシートで閉じられているものとすることが可能である。
また、本発明において、上記充填口具は充填孔の周りに環状溝を介してねじ部を有する筒壁部を備え、前記排出口具は充填口具の前記ねじ部に螺合するねじ部を有して環状溝に対応する筒壁部を備え、充填口具のねじ部に排出口具のねじ部に螺合して上記ロック手段の係合状態時に環状溝の底面に排出口具の前記筒状部の下端が密着しているものとすることが可能である。
また、本発明において、上記排出口具のねじ部を雄ねじとし充填口具のねじ部を雌ねじとして、排出口具の筒壁部が上記充填口具の筒壁部の内周面側に位置するものとすることが可能である。
また、本発明において、上記排出口具の吸引手段挿入方向における挿入孔閉鎖位置が、排出口具の上記ねじ部における吸引手段挿入方向上方での端部高さ位置より、吸引手段挿入方向下方に設けられているものとすることが可能である。
【発明の効果】
【００１０】
（請求項１の効果）
請求項１の発明により、従来のキャップを用いないので省資源化が図れるとともに、上述したようなキャップを取り付けたままでのノズル付き吸引機構への液体容器の装填に際して生じていた吸引手段であるノズルの破損を防止することができる。
そして、液体容器がキャップを有しない商品形態となるため、この液体容器を複写機に用いるインキを収納した容器としてその複写機に装填するものであるときには、一般のユーザーに対して、内容物が多く残っている状態での容器を不必要に取り外すという気持ちを生じさせず、内容物を最後の可能な量まで吸引する利用の形態に導くようになる。これによって内容物の経済的な使用が図れるとともに、内容物が多く残った状態での液体容器の廃棄が防止できるようになる。さらに、キャップを有しない商品形態となるので、内容物使用済みの空容器では容器内部の保全が不可能となって再利用できる容器とはならず、廃棄物として確実に取り扱われるようになる。
よって、一旦複写機などから液体容器を取り外し、期間をおいて再び液体容器を装填するような不適切な使用形態や、使用済み空容器に不正充填した容器の不正使用形態で生じ易かった、固化した内容物が機器側に吸い込まれて発生する不具合を未然に防止できる。
さらに排出口具の充填口具に対する取付でその充填口具の充填孔を介した容器外への液体流路を閉じるようにしており、充填口具と排出口具との接触部分における当接圧を高めるように形状設定するなどの手法の導入が容易であるため、充填孔を介した液体流路を閉じるための密封性を確保することができる。よって、内容物充填時にその内容物の一部が、充填口具と排出口具との接触部分となる位置に付着し残存したとしても、熱シールと違い挿入孔未開封状態での密封性を損なうことがないなど、優れた効果を有する。
【００１１】
（請求項２の効果）
請求項２の発明により、ノズルなどの吸引手段の突き刺しによってシートが裂けるように開口し、その切断片が、開口した挿入孔から外れて容器本体側に入ることを防止できる。
（請求項３の効果）
請求項３の発明により、排出口具を回転させながら充填口具に取り付けることとなるため、排出口具の回転という簡易な操作でその排出口具の筒壁部の下端を高い押圧力の下で充填口具の環状溝に当てることができ、そしてロック手段の係合で当接による密着状態が維持され、よって、挿入孔未開封状態での密封性をより一層高めることができる。
（請求項４の効果）
請求項４の発明により、充填口具の筒壁部で囲まれた内空間で排出口具の支持を行なえるため、容器本体に取り付けられている充填口具の形状を大きくする必要がなく、よって、口具装置全体が小型のものとなり、口具装置の容器本体に対する配置位置を、前記充填口具を熱融着機などの機器で容器本体に取り付ける場合でも、内容物の排出に有利な容器底部側にレイアウトできる。
（請求項５の効果）
請求項５の発明により、充填口具の挿入孔の閉鎖位置が吸引手段挿入方向下方側に位置し、排出口具を充填口具に取り付ける前に挿入孔をシートで閉鎖する構造であるので、シートを挿入孔に貼り付けて閉じる際、周囲に貼り付け面より高い部分がなく、ロール状のシートを使用することも可能になり、また、シールバーが平坦で良いため、シートを容易に貼り付けられ、生産上有利である。
【発明を実施するための最良の形態】
【００１２】
つぎに本発明を図１から図８に示す実施の形態に基づいて詳細に説明する。
図中１は液体容器で、該液体容器１はフレキシブルでヒートシール性があるフィルム材で構成された容器本体２と、この容器本体２の側面の下端側に寄せて取り付けられた口具装置３とからなるものである。この液体容器１は粘度の比較的高い内容物、例えばインキなどの液体が収納される容器であって、前記口具装置３を通して内容物の充填を行なってから口具装置３を閉じ、そしてこの液体容器１を複写機のインキ吸引機構が備えられている容器装填部などのように収納した内容物を吸引するための吸引機構との接続を口具装置３に対して行なうことでこの口具装置３が開き、内容物を送出できるようにしている。
【００１３】
上記内容物の充填手段による充填と吸引手段による吸引に対応する口具装置３は、図２に示すように充填手段を通すことのできる充填孔４を有する充填口具５と、液体を引き出す吸引機構の吸引手段であるノズルが挿入可能な挿入孔６を有する排出口具７とからなるものであり、内容物充填後に前記充填孔４が排出口具７で閉じられるとともに、その排出口具７の挿入孔６も閉じられていて、吸引手段による突き刺しで挿入孔６の閉状態が解かれて、充填孔４と挿入孔６とを通した液体流路が得られる構成としている。よって、本液体容器１では、内容物を充填して口具装置３の挿入孔６が閉じられた製品の形態となり、後述するように確実な閉鎖を確保して口具装置３に対するキャップを不要としている。
【００１４】
上記充填口具５は融着可能な素材から成形されていて、図３に示されているように上記充填孔４を有するものであり、その充填孔４の開口周縁を吸引手段挿入方向（充填手段挿入方向と同じ）上方に向けて延長して径方向に連続する内筒部８を有するとともに、その内筒部８の基端から径方向に環状部位９が広がり、その環状部位９の周りに吸引手段挿入方向上方に向けて延設されて周方向に連続する筒部１０を胴部とし、筒部１０の外周に容器本体２のフィルム素材の内面に融着されているフランジ１１を一体に備えている。
また、充填口具５では上記筒部１０の吸引手段挿入方向上方の開口の周辺に外方に向けて延設された支持フランジ１２が一体にして設けられている。さらに筒部１０の内周面に、雌ねじとしたねじ部１３が上記環状部位９の近傍まで形成されている。この環状部位９にはシールリング１４が一体にして設けられており、後述するようにこのシールリング１４に排出口具７が押圧して密封性を高めるようにしている。この充填口具５の容器本体内部側に位置する部分には吸引手段挿入方向下方に向けて突出する複数の凸部１５も一体にして設けられている。
【００１５】
そして、本実施の形態での口具装置３では、充填口具５に後述の排出口具７が一旦取り付けた後にはその取り外しが行なえないようにした工夫を有している。この取り外しが行なえない構成とするために、充填口具５では筒部１０の開口周縁が径方向に拡径され、その拡径部１６における径対向方向に一対にして求心方向に突出する突起状のロック手段１７が一体に形成されている。なお、このロック手段１７に対応するロック手段を排出口具７が有していて、両者の係合により排出口具７の取り外しが不能となるように設けられている。この点については後述する。
【００１６】
図４は排出口具７が単独で示されている。この図４に示されているように排出口具７においての挿入孔６は、吸入手段挿入方向下方に向けて若干先細りする内形状の筒体として形成されている。そして、この挿入孔６での吸引手段挿入方向上方となる開口周りで径方向に広がる環状部位１８の周辺から吸引手段挿入方向上方に向けて立壁が周方向に連続してなる筒部１９が形成され、その先端がテーパー状に広がった受け口２０としている。この受け口２０の基端周りには外方に張り出す鍔部２１が一体に形成されている。
さらに上記環状部位１８から吸引手段挿入方向下方に向けて筒部２２が一体に形成されている。この筒部２２は上記筒体とした挿入孔６を囲んでいて、その挿入孔６での外周面との間で下開きの溝部２３が形成されるようにしている。また、前記筒部２２の外周面には雄ねじとしたねじ部２４を有している。
【００１７】
この排出口具７での上記筒部２２は充填口具５の筒部１０で囲まれた内空間に入れることができるものであり、排出口具７での筒部２２のねじ部２４を充填口具５の筒部１０のねじ部１３に螺合することで、充填口具５の筒部１０の内周面にこの排出口具７の筒部２２が対応位置するように設けられていて、この螺合によって排出口具７が充填口具５に支持されている。
さらに排出口具７の筒部２２における吸引手段挿入方向上方には上記環状部位１８の外周となる高さ位置で径方向に突出する突堤部２５が周方向に一体に設けられており、排出口具７を充填口具５にねじ入れていくことで充填口具５の上記拡径部１６に位置するように設けられている。この突堤部２５には径方向で対向する位置にした一対の突起からなるロック手段２６が設けられており、排出口具７を螺合して締付けの最終段階となる最終回転を行なったときに拡径部１６に突堤部２５が位置し、前記ロック手段２６が前記ロック手段１７を乗り越えてから係合した時点で螺合のねじ入れ回転が終了するように設けられており、これ以降は、逆回転である取り外し方向の回転がロック手段１７、２６の係合で規制され、排出口具７の取り外しが行なえないように設けられている。
【００１８】
ロック手段１７、２６の係合により取り外し不能とされる上記排出口具７にあっては、筒状の挿入孔６が充填口具５の充填孔４の内側に入り込んでおり、さらには図２の断面形態で示すように排出口具７の溝部２３に充填口具５の充填孔４における内筒部８が入り込むとともに、その充填口具５の環状部位９にあるシールリング１４に、排出口具７の筒部２２の下端（吸引手段挿入方向下方側の端部）が押圧力を伴った状態で当接し、この当接部分が密着状態となるようにしており、このように排出口具７の取付で充填口具５の充填孔４が覆われているものである。
排出口具７での挿入孔６は、吸引手段挿入方向下方である容器本体側の端面位置でシート２７が貼り付けられて閉鎖されている。このシート２７は少なくとも二軸延伸してなるフィルムを一層含む積層構成のものである。
このように排出口具７の取り外し不能となる取付によって充填口具５の充填孔４に入り込む形で配置されることとなる挿入孔６が事前にシート２７で閉じられ、かつまた、排出口具７の筒部２２が充填口具５の筒部１０の内側に位置して充填孔４周りの環状部位９のシールリング１４に密着していることから、充填口具５の充填孔４を介した容器本体から外方への液体流路が確実に閉鎖されている。勿論、排出口具７においても前述したように挿入孔６の先細りした側（容器本体側）の端面位置を閉鎖位置としてシート２７で閉じられているので、この吸引手段挿入前の時点では挿入孔６も開口しておらず、よって、本液体容器１での充填孔４、挿入孔６を介した容器本体２から外部への液体流路が完全に閉じられたものとしている。
【００１９】
この液体容器１において充填された内容物を吸引する場合、上述したように複写機などの機器における容器装填部分にある吸引手段としてのノズルに口具装置２が対応するようにこの液体容器１をセットしてから、例えば、機器側の操作で口具装置３をノズルにあてがい、そのノズルが上記排出口具７の挿入孔６のシート２７を突き刺し開口してその挿入孔６と充填孔４に入り込むようにすればよい。これによって内容物の吸引が行えるものとなる。
吸引手段としたノズルが入り込む挿入孔６では上述したように挿入孔６の閉鎖位置も筒部２２の吸引手段挿入方向上方となる位置から離れているため、そして挿入孔６の内部形状が筒状で先細りしていることから、そのノズルの進み方向が挿入孔６の内周面で案内され、適正にシート２７を突き刺し開口する。また、シート２７も二軸延伸してなるフィルムを有しているので裂けるように開口することとなり、切断くずが容器本体側に入り込むのを防止することができる。
【００２０】
上記実施の形態において、排出口具７の受け口２０を筒部１９に連続してテーパー状に開いたものとしているが、図５に示すように傾斜リブ２８によって吸引手段に対する受け斜面を形成するようにすることが可能である。
【００２１】
上記各実施の形態では排出口具７の充填口具５からの取り外しを不能とする構成として、排出口具７の突堤部２５に切り欠き段部からなるロック手段２６を設け、充填口具５には筒部１０の開口周辺の拡径部１６に突起からなるロック手段１７を設けたが、本発明はこれに限定されるものではない。
図６から図８は他の例を示している。この例では排出口具７における筒状の挿入孔６の外周面に径方向に突出する一対の突起からロック手段２６を形成しているとともに、挿入孔６の周りの溝部２３に入り込む充填口具５の上記内筒部上端に、前記ロック手段２６に対してその係合関係が解除不能に係止することのできる爪からなるロック手段１７を形成している。そしてこの例でも排出口具７の充填口具５に対する螺合による締付けの最終回転となるときに、前記ロック手段１７にロック手段２６が一旦乗り越えてから係合し、それ以降係止関係解除不能状態を維持するように設けられているものである。勿論、係止関係解除不能状態となる時点で、排出口具７の筒部２２の端部が充填口具５の環状部位９のシールリング１４に当接して密着状態となるようにしている点は上記実施の形態と同じである。
【００２２】
なお、上述した各実施の形態における充填口具５の支持フランジ１２はその外周形状が円状ではなく、図示したように径方向に対向する一対の凹所を有した形状としており、排出口具７を取り付ける際、前記凹所を利用して支持フランジ１２を図示しない機構などで確実に支持して、充填口具５が共回りしないように図られている。
また、上述した各実施の形態での液体容器１は容器本体全体がフレキシブルなフィルム素材からなるものとして説明したが、本発明はこれに限定されるものではない。例えば容器本体において表面積の一部分を占める領域を上記口具本体の材質と同一の素材からなる硬質の面板とし、他の部分がフィルム素材からなる構造のものとすることも可能であり、その面板に口具本体を一体に形成することも可能である。
【図面の簡単な説明】
【００２３】
【図１】本発明に係る液体容器の一例を示すものである。
【図２】一例における口具装置を断面で示す説明図である。
【図３】口具装置における充填口具を示すもので、（イ）は吸引手段挿入方向上方側から見た正面状態を示す説明図、（ロ）は吸引手段挿入方向に沿った断面を示す説明図である。
【図４】口具装置における排出口具を示すもので、（イ）は吸引手段挿入方向上方側から見た正面状態を示す説明図、（ロ）は一部を吸引手段挿入方向に沿った断面とした側面を示す説明図、（ハ）は吸引手段挿入方向下方側から見た背面状態を示す説明図である。
【図５】一例における受け口の変形例を示すもので、（イ）は吸引手段挿入方向上方側から見た正面状態を示す説明図、（ロ）は吸引手段挿入方向に沿った断面を示す説明図である。
【図６】他の例を吸引手段挿入方向に沿った断面で示す説明図である。
【図７】他の例における排出口具を示すもので、（イ）は吸引手段挿入方向上方側から見た正面状態を示す説明図、（ロ）は一部を吸引手段挿入方向に沿った断面とした側面を示す説明図、（ハ）は吸引手段挿入方向下方側から見た背面状態を示す説明図である。
【図８】他の例における充填口具を示すもので、（イ）は吸引手段挿入方向上方側から見た正面状態を示す説明図、（ロ）は吸引手段挿入方向に沿った断面を示す説明図、（ハ）は吸引手段挿入方向下方側から見た背面状態を示す説明図である。
【図９】従来例を示す説明図である。
【符号の説明】
【００２４】
１…液体容器
２…容器本体
３…口具装置
４…充填孔
５…充填口具
６…挿入孔
７…排出口具
８…内筒部
９…環状部位
１０…筒部
１３……ねじ部
１４…シールリング
１６…拡径部
１７…ロック手段
１８…環状部位
１９…筒部
２２…筒部
２３…溝部
２４…ねじ部
２５…突堤部
２６…ロック手段
２７…シート
２８…傾斜リブ
【図１】
2006240701.tif 000003
【図２】
2006240701.tif 000004
【図３】
2006240701.tif 000005
【図４】
2006240701.tif 000006
【図５】
2006240701.tif 000007
【図６】
2006240701.tif 000008
【図７】
2006240701.tif 000009
【図８】
2006240701.tif 000010
【図９】
2006240701.tif 000011